(57)【要約】      （修正有）【課題】カートリッジの商品取り出し部から最前列の商品を取り出すに際して手指を商品の上方に挿し入れる必要がなく、商品と什器の天板部との間に手指を挿し入れるための隙間を設定する必要がなく、什器全体の高さを低く設定することができるカートリッジを提供する。【解決手段】複数の商品を前後方向に一列に並べて搭載する商品搭載部１１と、商品搭載部に沿って前後方向に移動可能に設けられた商品押圧部と、商品押圧部を前方へ向けて弾性付勢するばね手段と、商品搭載部の前方端部位置に設けられ最前列の商品１つを取り出すための商品取り出し部４１とを有するカートリッジであって、商品取り出し部は、縦向き中心軸線の周りを回転可能な回転扉４２を備える回転扉式の構造とされ、回転扉は商品搭載部に対する回転部を扉幅方向中央部に設けた扉本体４３と、扉本体の裏面下部位置に設けられ最前列の商品１つを載せる大きさとされた商品載せ台４８とを備える。【選択図】図２
2017131393.tif 000002
【特許請求の範囲】
【請求項１】
複数の商品を前後方向に一列に並べて搭載する商品搭載部と、
前記商品搭載部に沿って前後方向に移動可能に設けられた商品押圧部と、
前記商品押圧部を前方へ向けて弾性付勢するばね手段と、
前記商品搭載部の前方端部位置に設けられ、最前列の商品１つを取り出すための商品取り出し部とを有するカートリッジであって、
前記商品取り出し部は、縦向き中心軸線の周りを回転可能な回転扉を備える回転扉式の構造とされていることを特徴とするカートリッジ。
【請求項２】
請求項１記載のカートリッジにおいて、
前記回転扉は、前記商品搭載部に対する回転部を扉幅方向中央部に設けた扉本体と、前記扉本体の裏面下部位置に設けられ、最前列の商品１つを載せる大きさとされた商品載せ台とを備えることを特徴とするカートリッジ。
【請求項３】
請求項１又は２記載のカートリッジにおいて、
前記商品は、たばこ商品であることを特徴とするカートリッジ。
【発明の詳細な説明】
【技術分野】
【０００１】
本発明は、複数の商品を一列に並べた状態で収容し、その最前列から商品を１つずつ取り出すように用いられるカートリッジに関する。
【背景技術】
【０００２】
例えばコンビニエンスストアのレジカウンター内には、多数の銘柄のたばこ商品を陳列収容するたばこ什器が設置されており、この什器には、銘柄ごとにたばこ商品を収めるカートリッジが多数、抽斗状に組み込まれている。各カートリッジには、同一銘柄のたばこ商品が複数一列に並んだ状態で収容され、ストアの店員が顧客の求めに応じて、指定された銘柄のたばこ商品を１つずつ取り出すことになる。
【０００３】
図５は、従来のカートリッジ５１を示している。カートリッジ５１は一般に合成樹脂製の部品及びばね手段の組み合わせよりなり、すなわち複数の商品Ｓを前後方向に一列に並べて搭載する商品搭載部５２と、商品搭載部５２に沿って前後方向に移動可能に設けられた商品押圧部５３と、商品押圧部５３を前方へ向けて弾性付勢するばね手段５４と、商品搭載部５２の前方端部位置に設けられ、最前列の商品Ｓ１つを取り出すための商品取り出し部５５とを有している。
【先行技術文献】
【特許文献】
【０００４】
【特許文献１】特開２００７−３０７２４４号公報
【発明の概要】
【発明が解決しようとする課題】
【０００５】
しかしながらこの従来技術では、店員が商品取り出し部５５から最前列のたばこ商品Ｓ１つを取り出すに際して、手指をカートリッジ５１の前方からたばこ商品Ｓの上方であってたばこ商品Ｓと什器本体６１の天板部６２との間に挿し入れる必要がある。
【０００６】
したがって、手指をカートリッジ５１の前方から挿し入れることができるようにたばこ商品Ｓの上方であってたばこ商品Ｓと什器本体６１の天板部６２との間に実寸で高さ２０ｍｍほどの隙間ｃを設定する必要があり、この隙間ｃがカートリッジ５１の段数分上下方向に積み重ねられるため、什器６１全体の高さが随分と高いものとなる。
【０００７】
これに対し、レジカウンター内のスペースは限られているため、什器６１全体の高さを極力低くしたいとの要望がある。また、什器６１全体の高さが高いと、最上段のカートリッジ５１からたばこ商品Ｓを取り出しにくい。
【０００８】
本発明は以上の点に鑑みて、カートリッジの商品取り出し部から最前列の商品を取り出すに際して手指を商品の上方に挿し入れる必要がなく、もって商品と什器の天板部との間に手指を挿し入れるための隙間を設定する必要がなく、もって什器全体の高さを低く設定することができるカートリッジを提供することを目的とする。
【課題を解決するための手段】
【０００９】
上記目的を達成するため、本発明のカートリッジは、複数の商品を前後方向に一列に並べて搭載する商品搭載部と、前記商品搭載部に沿って前後方向に移動可能に設けられた商品押圧部と、前記商品押圧部を前方へ向けて弾性付勢するばね手段と、前記商品搭載部の前方端部位置に設けられ、最前列の商品１つを取り出すための商品取り出し部とを有するカートリッジであって、前記商品取り出し部は、縦向き中心軸線の周りを回転可能な回転扉を備える回転扉式の構造とされていることを特徴とする。
【００１０】
本発明は、商品取り出し部を回転扉式の構造とするものであって、この回転扉式の構造によれば、回転扉の左右いずれかの側辺部近傍を手指で押圧することにより回転扉が回転し、最前列の商品を取り出すことが可能とされる。したがって商品を取り出すに際して手指を商品の上方に挿し入れなくても商品を取り出すことが可能とされる。
【００１１】
回転扉としては、商品搭載部に対する回転部を扉幅方向中央部に設けた扉本体と、この扉本体の裏面下部位置に設けられ、最前列の商品１つを載せる大きさとされた商品載せ台とを備えるのが好適であり、この構造によれば、扉本体が回転するのに伴って、商品載せ台に載った最前列の商品がカートリッジ正面側（前方側）に現れてくる。
【００１２】
商品の種類は特に限定されないが、たばこ商品が想定されている。
【発明の効果】
【００１３】
本発明によれば上記したように、カートリッジの商品取り出し部から最前列の商品を取り出すに際して手指を商品の上方に挿し入れなくても商品を取り出すことが可能とされる。したがって商品と什器の天板部との間に手指を挿し入れるための隙間を設定する必要がなく、もって什器全体の高さを低く設定することができるカートリッジを提供することができる。
【図面の簡単な説明】
【００１４】
【図１】本発明の実施例に係るカートリッジの概略縦断面図
【図２】同カートリッジに備えられる商品取り出し部の概略斜視図
【図３】同商品取り出し部に備えられる回転扉構造の作動説明図（扉を時計回りに回転させるとき）
【図４】同商品取り出し部に備えられる回転扉構造の作動説明図（扉を反時計回りに回転させるとき）
【図５】従来例に係るカートリッジの説明図
【発明を実施するための形態】
【００１５】
本発明には、以下の実施形態が含まれる。
（１）カートリッジ最前部に装填されたたばこ商品の正面が完全に覆われるような回転扉を設置する。たばこ商品は後方の押し板によって前方に押し出されているため、常に回転扉に押し付けられた状態となる。ゆえに、回転扉の片側を後方に押し込むことで、押し込んだ側と反対側から、たばこ商品が手で触れられる状態となり、たばこ商品を取り出すことが可能となる。カートリッジは、マガジンとも称される。
（２）このように取り出し口を回転式にすることにより、カートリッジ上部のスペースが不要になり、什器の高さを抑えることができる。
（３）また、商品載せ台の載せ面の高さ位置を商品搭載部の搭載面の高さ位置より低く設定することにより、たばこ商品がひと箱ごとの待機式とされる。したがって簡単にたばこ商品をひと箱ずつ取り出すことができる。
【実施例】
【００１６】
つぎに本発明の実施例を図面にしたがって説明する。
【００１７】
図１に示すように、当該実施例に係るカートリッジ１は、複数のたばこ商品Ｓを前後方向に一列に並べた状態で収容し、その最前列からたばこ商品Ｓを１つずつ取り出すように用いられる。図１では、左方が前方、右方が後方であり、複数のたばこ商品Ｓが左右方向に一列に並べた状態で収容される。
【００１８】
カートリッジ１の全体構成として、カートリッジ１は、複数のたばこ商品Ｓを前後方向に一列に並べて搭載する商品搭載部１１と、商品搭載部１１に沿って前後方向に移動可能に設けられた商品押圧部２１と、商品押圧部２１を前方へ向けて弾性付勢するばね手段３１と、商品搭載部１１の前方端部位置に設けられ、最前列の商品Ｓ１つを取り出すための商品取り出し部４１とを有している。
【００１９】
商品搭載部１１は、上方及び前方を開放した前後方向に長い合成樹脂製の箱状部品であって、底壁１２、後壁１３及び一対の側壁１４を備え、上記したように複数のたばこ商品Ｓを前後方向に一列に並べて搭載することが可能とされている。商品押圧部２１は、たばこ商品Ｓを押圧する押し板２２を備え、押し板２２の下部に係合部２３が設けられ、係合部２３が商品搭載部１１の底壁１２に設けた案内溝１５に対しスライド自在に係合することにより、商品搭載部１１に沿って前後方向に移動することが可能とされている。ばね手段３１は、商品押圧部２１に組み付けられた巻き取りばね３２を備え、この巻き取りばね３２の先端繰り出し部３３の最先端部３３ａが商品搭載部１１の前端位置に連結されており、巻き取りばね３２が巻き戻し方向へのばね力を発揮することにより、商品押圧部２１を前方へ向けて弾性付勢し、延いては商品押圧部２１を介してたばこ商品Ｓを前方へ向けて弾性付勢することが可能とされている。
【００２０】
商品取り出し部４１は、縦向き中心軸線の周りを回転可能な回転扉４２を備える回転扉式の構造とされ、具体的には以下のように構成されている。
【００２１】
すなわち図２に示すように、商品搭載部１１における一対の側壁１４の前端部にそれぞれ上方へ向けて立ち上げ壁１６が設けられ、この一対の立ち上げ壁１６の上端部に天壁部１７が架設されている。天壁部１７の前端部及び底壁１２の前端部はそれぞれ側壁１４の前端部よりも前方へ突出形成され、ここに回転扉４２が回転可能に取り付けられている。
【００２２】
回転扉４２は、前方から視て縦長の長方形を呈する板状の扉本体４３を備え、この扉本体４３を回転させる回転部として、扉本体４３の上端部から後方へ向けて半円形フランジ状の上側張り出し部４４が設けられるとともに扉本体４３の下端部から後方へ向けて角形フランジ状の下側張り出し部４５が設けられ、上側張り出し部４４の上面に上方へ向けて上側ピン軸４６が設けられるとともに下側張り出し部４５の下面に下方へ向けて下側ピン軸４７が設けられ、上側張り出し部４４が天壁部１７の前端部の下側に前方から挿入されるとともに下側張り出し部４５が底壁１２の前端部の上側に前方から挿入され、上側ピン軸４６が天壁部１７の前端部に設けた上側軸穴１８に回転可能に差し込まれるとともに下側ピン軸４７が底壁１２の前端部に設けた下側軸穴１９に回転可能に差し込まれ、以上により扉本体４３が回転可能に取り付けられている。上側ピン軸４６及び上側軸穴１８の組み合わせ並びに下側ピン軸４７及び下側軸穴１９の組み合わせは上下方向に並べられ、よってこれらの組み合わせにより縦向き中心軸線が設定されている。また、これらの組み合わせよりなる回転部は、回転扉４２の扉幅方向中央部に設定されており、よって回転扉４２は図３に示すように上方から視て時計回りに回転するときも、或いは反対に図４に示すように反時計回りに回転するときも、対称的な動き（回転）をすることになる。
【００２３】
下側張り出し部４５は、たばこ商品Ｓを載せる商品載せ台４８を兼ねており、最前列の商品Ｓ１つを載せる大きさ（平面積）に形成されている。下側張り出し部４５乃至商品載せ台４８の後端部には、突起状の商品落下防止部４９が設けられている。
【００２４】
下側張り出し部４５乃至商品載せ台４８の後方において、商品搭載部１１の底壁１２には、カートリッジ後方を高床とするとともにカートリッジ前方を低床とする段差部２０が設けられ、これにより商品載せ台４８の載せ面４８ａの高さ位置のほうが商品搭載部１１の搭載面１１ａの高さ位置よりも低く設定され、これにより商品搭載部１１の搭載面１１ａから商品載せ台４８の載せ面４８ａへたばこ商品Ｓを１つずつ落とし込む構造とされている。段差部２０には、回転扉４２の回転時に商品載せ台４８がこの段差部２０と干渉することがないように平面円弧形の凹部２０ａが設けられている。
【００２５】
また、図１に示したように、天壁部１７の下面に板状のストッパ部品５０が取り付けられ、これにより回転扉４２の回転時に扉本体４３の左右いずれかの側辺部４３ａが当接することにより回転扉４２の回転を停止させる（回転角度を規制する）ための段差状のストッパ５０ａが設けられている。したがって回転扉４２は、図３に示すように時計回りに回転するときも、或いは図４に示すように上方から視て反時計回りに回転するときも、９０度乃至略９０度回転した位置で停止するように構成されている。
【００２６】
上記構成のカートリッジ１においては、図３（Ａ）又は図４（Ａ）に示す扉回転の初期状態から扉本体４３の左右いずれかの側辺部４３ａ近傍を手指で押圧することにより回転扉４２が回転し、商品載せ台４８に載った最前列のたばこ商品Ｓ１つを取り出すことが可能とされている。
【００２７】
最前列から２列目のたばこ商品Ｓは当初、最前列のたばこ商品Ｓに押し付けられているが、回転扉４２の回転角度が大きくなると、扉本体４３の側辺部４３ａがこの２列目のたばこ商品Ｓに接触することにより、２列目のたばこ商品Ｓは扉本体４３の側辺部４３ａに押し付けられた状態とされ、よってカートリッジ前方へ移動するのが停止される。回転扉４２の回転角度が更に大きくなって９０度近くに達すると、２列目のたばこ商品Ｓは扉本体４３の側辺部４３ａに押圧されてカートリッジ後方へ向け一旦押し戻される。そして、最前列のたばこ商品Ｓを取り出した後、回転扉４２を初期状態へ復帰回転させると、２列目のたばこ商品Ｓが扉本体４３の側辺部４３ａに押し付けられた状態でカートリッジ前方へ徐々に移動し、商品載せ台４８に載せられ（落とし込まれ）、最前列のたばこ商品Ｓとして次回の取り出し待ちとされる。したがって回転扉４２を回転させ、最前列のたばこ商品Ｓを取り出した後、回転扉４２を初期状態へ復帰回転させるたびに次々と、たばこ商品Ｓが商品載せ台４８に自動で載せられる。
【００２８】
上記構成のカートリッジ１によれば、商品取り出し部４１が回転扉式の構造とされているため、商品取り出し部４１から最前列のたばこ商品Ｓを取り出すに際して手指をたばこ商品Ｓの上方に挿し入れなくてもたばこ商品Ｓを取り出すことができる。したがって、たばこ商品Ｓと什器本体６１の天板部６２との間に手指を挿し入れるための隙間を設定する必要がなく、もって什器全体の高さを低く設定することができるカートリッジを提供することができる。
【００２９】
たばこ商品Ｓと什器本体６１の天板部６２との間には、商品搭載部１１の天壁部１７やストッパ部品５０、回転扉４２の上側張り出し部４４等を配置するためのスペースが必要とされるが、このスペースは数ｍｍ乃至１０ｍｍ未満の大きさ（高さ）で良い。したがって従来例に係る２０ｍｍほどの隙間ｃとの比較のうえで、什器全体の高さを低く設定することができるものとなる。
【符号の説明】
【００３０】
１  カートリッジ
１１  商品搭載部
１２  底壁
１３  後壁
１４  側壁
１５  案内溝
１６  立ち上げ壁
１７  天壁部
１８，１９  軸穴
２０  段差部
２１  商品押圧部
２２  押し板
２３  係合部
３１  ばね手段
３２  巻き取りばね
４１  商品取り出し部
４２  回転扉
４３  扉本体
４４，４５  張り出し部
４６，４７  ピン軸
４８  商品載せ部  
４９  落下防止部
５０ａ  ストッパ
Ｓ  たばこ商品
【図１】
2017131393.tif 000003
【図２】
2017131393.tif 000004
【図３】
2017131393.tif 000005
【図４】
2017131393.tif 000006
【図５】
2017131393.tif 000007